(57)【要約】      （修正有）【課題】ステップの抵抗力を調整することができるステップマシンの構造を提供する。【解決手段】本体１は、上部にハンドル１１が、下方に伝動装置及び磁気抵抗装置が設置される。前記伝動装置は、下方にアイドル輪４が設置され、さらに、２個のペダルステム３１がそれぞれ本体１の両側に差し込み接続される。牽引帯５を介して、それぞれ伝動装置上の２個の単方向回転輪２１１、アイドル輪４に巻きつけられて、最後に牽引帯５の両側がペダルステム３１に設置され、ペダルステム３１が踏まれて伝動装置を駆動し、前記伝動装置が磁気抵抗装置の磁気抵抗を受けることで、使用者に運動効果を達成させる。また、前記２個のペダルステム３１の長さを調整することが可能で、ステップトレーニングのプログラム及び自由度を調整できる。【選択図】図１
0003183390.tif 000002
【実用新案登録請求の範囲】
【請求項１】
直立状で、上部にハンドルが、下方に収納室が設置される本体と、
前記本体の収納室内に設置され、このうち、前記伝動装置は、主動軸及び一対の双軸伝動ユニットを有し、前記主動軸は、収納室の両側に露出し、それぞれ単方向回転輪が固定設置され、前記単方向回転輪は、前記主動軸及び双軸伝動ユニットを駆動して、このうち、前記２個の単方向回転輪の外周には、方向の異なる溝が設置される伝動装置と、
２個のペダルステムを有し、且つ、前記本体収納室の両側に差し込み式で接続されるペダルユニットと、
前記本体収納室の下方に斜めに設置されるアイドル輪と、
ひも状で、その中央外側が前述のアイドル輪及び２個の単方向回転輪に巻き付けられた後、前記牽引帯のその余った部分の両端がそれぞれ前述の２個のペダルステム上に固定される牽引帯とを備えることを特徴とするステップマシンの構造。
【請求項２】
さらに、磁気抵抗装置を備え、このうち、前記磁気抵抗装置は、ノブ及び磁気抵抗部品が設置され、ノブ、磁気抵抗部品間は、ワイヤによって連結され、また、磁気抵抗部品が双軸伝動ユニットに対して磁気抵抗を発生させることにより、前記ノブが回転して磁気抵抗部品の位置を変更し、さらに、磁気抵抗部品が双軸伝動ユニットに対して発生させる磁気抵抗の大きさを変更することを特徴とする請求項１に記載のステップマシンの構造。
【請求項３】
さらに、受動軸を備え、このうち、前記主動軸上には、それぞれ主動輪及び差し込み式で設置される受動軸が固定され、それぞれ受動軸及び主動輪が固定設置されて、各主動輪、受動軸間は、ベルトによって連結され、前記２本のベルトのうちの１本は、当接輪によって当接されて張力を保つことを特徴とする請求項２に記載のステップマシンの構造。
【請求項４】
前記主動軸上の受動軸側辺には、大円盤が設置され、前記磁気抵抗部品には「コ」の字状開口が設置され、且つ、内側には少なくとも１個のマグネットが設置されて、このうち、前記大円盤の外周縁は、「コ」の字状開口内に挿入されることを特徴とする請求項３に記載のステップマシンの構造。
【請求項５】
さらに、計数装置を備え、このうち、前記計数装置は、センサが設置されて接続し、且つ、ペダルステムに近い位置の本体に設置されることで、ペダルステムが踏まれた回数を感知することを特徴とする請求項１に記載のステップマシンの構造。
【請求項６】
前記本体は、Ｘ状を呈し、ハンドルを折り畳んで収納することが可能であることを特徴とする請求項１、２、３、４または５に記載のステップマシンの構造。  
【請求項７】
前記ペダルステムの長さが調整でき、ステップトレーニングのプログラムを調整できると同時に、ステップの自由度を高めることを特徴とする請求項１、２、３、４または５に記載のステップマシンの構造。
【考案の詳細な説明】
【技術分野】
【０００１】
本考案は、ステップマシンに関し、特に、磁気抵抗装置及び伝動装置が設置されたステップマシンに関する。
【背景技術】
【０００２】
現代は商工業が発達し、人々は毎日忙しい生活を余儀なくされている。このため、使用の際、時間、天候の制限を受けない各種トレーニング器具が、運動やトレーニングの補助器具として広く使用されている。業界では、競って新たな商品の開発に尽力し、現在、様々な種類、機能及び構造型態のタイプのトレーニング器具が世に送り出されている。本考案は、特に、ステップマシンと称されるトレーニング器具に関するものである。ステップマシンの機能は、主に、使用者が両足でステップ部分を上下に交互に踏んで、ステップ式のトレーニング効果を達成するものである。
【０００３】
業者が開発した従来の構造９は、図９に示した通りである。従来の構造９は、台湾実用新案特許ＴＷ−１８２７６７号「折り畳み式ステップマシンの構造の改良構造」で、「コ」の字型ベース９１、主要本体９２、上部本体９３、斜め本体９４、左ペダル９５、右ペダル９６、一対の従来の油圧シリンダー装置９７、差し込み接続軸９８等の構成部品から組成され、上述の部品の組み合わせにより、ステップ式のトレーニングに供する。
【０００４】
しかしながら、上述の従来の構造９は、ステップの抵抗力を調整することができないため、運動効果が大きく損なわれたり、運動の自由度が狭くなったりするという問題が生じる。
【考案の概要】
【考案が解決しようとする課題】
【０００５】
したがって、本考案は、ステップの抵抗力を調整することができるステップマシンの構造を提供することを課題とする。
【課題を解決するための手段】
【０００６】
上記課題を解決するために、本考案のステップマシンの構造は、磁気抵抗装置を有して、磁気抵抗力が使用者の必要に応じて調整できることで、その運動効果及び運動の面白さを高めることを特徴とする。
【０００７】
さらに、上記課題を解決するために、本考案のステップマシンの構造は、ステップトレーニングのプログラムが調整できることを特徴とする。
【０００８】
さらに、上記課題を解決するために、本考案のステップマシンの構造は、収納空間を節約することを特徴とする。
【０００９】
本考案のステップマシンの構造は、主に、本体、伝動装置、ペダルユニット、アイドル輪、牽引帯を備える。前記本体は、直立状で、上部にハンドルが、下方に収納室が設置される。前記伝動装置は、前記本体の収納室内に設置され、このうち、前記伝動装置は、主動軸及び一対の双軸伝動ユニットを有する。また、前記主動軸は、収納室の両側に露出し、それぞれ単方向回転輪が固定設置される。また、前記単方向回転輪は、前記主動軸及び双軸伝動ユニットを駆動する。このうち、前記２個の単方向回転輪の外周には、方向の異なる溝が設置される。前記ペダルユニットは、２個のペダルステムを有し、且つ、前記本体収納室の両側に差し込み式で接続される。前記アイドル輪は、前記本体収納室の下方に斜めに設置される。前記牽引帯は、ひも状で、その中央外側が前述のアイドル輪及び２個の単方向回転輪に巻き付けられた後、前記牽引帯のその余った部分の両端がそれぞれ前述の２個のペダルステム上に固定される。  
【００１０】
さらに、本考案のステップマシンの構造は、磁気抵抗装置を備える。このうち、前記磁気抵抗装置は、ノブ及び磁気抵抗部品が設置され、ノブ、磁気抵抗部品間は、ワイヤによって連結される。また、磁気抵抗部品が双軸伝動ユニットに対して磁気抵抗を発生させることにより、前記ノブが回転して磁気抵抗部品の位置を変更し、さらに、磁気抵抗部品が双軸伝動ユニットに対して発生させる磁気抵抗の大きさを変更する。  
【００１１】
さらに、本考案のステップマシンの構造は、受動軸を備え、このうち、前記主動軸上には、それぞれ主動輪及び差し込み式で設置される受動軸が固定される。受動軸は、それぞれ受動軸及び主動輪が固定設置されて、各主動輪、受動軸間は、ベルトによって連結される。前記主動軸上の受動軸側辺には、大円盤が設置される。前記磁気抵抗部品には「コ」の字状開口が設置され、且つ、内側には少なくとも１個のマグネットが設置される。このうち、前記大円盤の外周縁は、「コ」の字状開口内に挿入される。  
【００１２】
さらに、本考案のステップマシンの構造は、計数装置を備え、このうち、前記計数装置は、センサが設置されて接続し、且つ、ペダルステムに近い位置に設置されることで、ペダルステムが踏まれた回数を感知する。  
【００１３】
また、本考案のステップマシンの構造は、このうち、前記本体がＸ状を呈し、ハンドルを折り畳んで収納することが可能である。  
【００１４】
また、本考案のステップマシンの構造は、このうち、前記ペダルステムの長さが調整でき、ステップトレーニングのプログラムを調整できると同時に、ステップの自由度を高める。
【考案の効果】
【００１５】
本考案のステップマシンの構造は、従来の技術に比べて、以下の効果を達成する。  
１．本考案のステップマシンは、ペダルステムが牽引帯と組み合わさることにより、使用者が前記ペダルユニットを踏み込むことで、単方向回転輪を駆動する。前記単方向回転輪は、さらに、主動軸を駆動して回転し、伝動装置全体を作動させ、さらに、前記伝動装置上に  磁気抵抗装置が設置されて、使用者が前記磁気抵抗装置の位置を調整することにより、ステップの抵抗の大きさを調整して、その運動効果及び運動の面白さを高める。  
【００１６】
２．本考案のペダルユニットの２個のペダルステムは、長さが調整できることで、使用者のステップトレーニングのプログラムを調整して、運動の自由度を高めることが可能である。ペダルステムの長さが長ければ長いほど、ステップトレーニングの運動距離が大きく、且つ、ステップの自由度も高い。逆に、ペダルステムが短ければ、ステップトレーニングの運動距離が小さく、且つ、ステップの自由度も低い。  
【００１７】
３．本考案の本体及びハンドルは、いずれも折り畳み式であり、使用者が使用しない時、これを折り畳んで収納できるため、収納空間の節約が可能である。
【図面の簡単な説明】
【００１８】
【図１】本考案の好適な実施形態における平面外観図である。
【図２】本考案の好適な実施形態における保護カバーのない場合の立体外観図である。
【図３】本考案の好適な実施形態における平面図である。
【図４】本考案の好適な実施形態における伝動装置の正面図である。
【図５】本考案の好適な実施形態における伝動装置の配置及び磁気抵抗装置の作動状態を示した図である。
【図６】本考案の好適な実施形態における折り畳んだ状態を示した図である。
【図７】本考案の好適な実施形態における使用様態を示した図である。
【図８】本考案の好適な実施形態においてステップの長さを調節した状態を示した図である。
【図９】従来の構造を示した図である。
【考案を実施するための形態】
【実施例】
【００１９】
以下、図を参照しながら、本考案のステップマシンの構造について詳しく説明する。  
まず、図１から図３を参照しながら説明する。本考案のステップマシンの構造は、本体１、伝動装置２、ペダルユニット３、アイドル輪４、牽引帯５、磁気抵抗装置６及び計数装置７を備える。このうち、前記本体１は、直立状で、その上方にハンドル１１が、その下方に収納室１２が設置される。このうち、前記収納室１２内には、伝動装置２が設置され、同時に、保護カバー１３が設置されて、前記伝動装置２を覆う。また、前記本体１は、Ｘ状を呈し、折り畳むことが可能である。これは図６に示したとおりである。  
【００２０】
図４及び図５を参照しながら説明する。前記伝動装置２は、前記本体１の収納室１２内に設置される。このうち、前記伝動装置２は、主動軸２１及び一対の双軸伝動ユニット２２を備える。また、前記主動軸２１は、収納室１２の両側に露出して、それぞれ単方向回転輪２１１が固定設置される。このうち、前記単方向回転輪２１１内には、単一方向のベアリングが設置され、前記２個の単方向回転輪２１１が交互に主動軸２１を駆動する。また、前記主動軸２１は、双軸伝動ユニット２２を駆動する。また、このうち、前記双軸伝動ユニット２２は、さらに受動軸２２１を備え、それは主動輪２２２を備えて固定され、受動輪２２５は、前記主動軸２１上に差し込み式で設置される。前記受動軸２２１は、それぞれ受動輪２２３及び主動輪２２４が固定設置される。前記主動輪２２２、受動輪２２３間は、ベルト２２６によって連結される。主動輪２２４、受動輪２２５間は、ベルト２２７によって連結される。前記ベルト２２６は、当接輪２２９によって当接されて張力を保つ。また、前記受動輪２２５側辺には大円盤２２８が設置される。  
【００２１】
前記ペダルユニット３は、２個のペダルステム３１を備え、且つ、前記本体１下方の両側に差し込み接続されて、本体１に対応して回転する。また、前記ペダルステム３１の長さは調整が可能である。前記アイドル輪４は、前記本体１収納室１２の下方に斜めに設置される。前記牽引帯５は、その中央外側が前記アイドル輪４内に巻きつけられて、その余った部分の両端は、それぞれ前記２個の単方向回転輪２１１に巻きつけられ、最後に、２個のペダルステム３１の側辺に設置される。これは図２に示したとおりである。図４及び図５を参照しながら説明する。前記磁気抵抗装置６は、ノブ６１及び磁気抵抗部品６２を有する。前記ノブ６１、磁気抵抗部品６２間は、ワイヤ６３によって連結される。また、磁気抵抗部品６２は、双軸伝動ユニット２２に対して磁気抵抗を発生させることにより、前記ノブ６１を回転させて、磁気抵抗部品６２の位置を引き上げて、磁気抵抗部品６２の双軸伝動ユニット２２に対する磁気抵抗の大きさを変化させる。前記磁気抵抗部品６２には、「コ」の字状開口６２１が設置され、且つ、その内側には複数のマグネットを有するが。このうち、前記大円盤２２８の外周縁は、「コ」の字状開口６２１内に挿入される。前記磁気抵抗装置６は、機械式または電子式にこれを制動することが可能である。さらに、前記計数装置７には、センサ７１が設置され、且つ、ペダルステム３１に近い本体１上に設置されることで、ペダルステム７１が踏まれた回数を感知する。  
【００２２】
図２、３、４を参照しながら説明する。本考案が構成するステップマシンのステップ原理は、以下の通りである。牽引帯５の中段の箇所が、アイドル輪４にかけられる。牽引帯５の両側が、さらに、それぞれ主動軸２１上の両端の単方向回転輪２１１の溝に設置されて巻きつけられ、最後に、ペダルステム３１の内側に設置される。使用者がペダルステム３１上で交互に上下に繰り返し踏み（図７に示したとおり）、さらに、牽引帯５を介して主動軸２１上の単方向回転輪２１１を駆動し、前記２個の単方向回転輪２１１が交互に主動軸２１を駆動して回転させ（図５に示したとおり）、主動軸２１上の主動輪２２２が、ベルト２２６が受動輪２２３を動かして回転させ、且つ、受動軸２２１及び主動輪２２４が連動して回転し、さらに、主動輪２２４がベルト２２７を介して受動輪２２５を動かして回転させ、最後に、前記受動輪２２５が大円盤２２８を連動させて回転させ、前記大円盤２２８の外周が磁気抵抗部品６２の「コ」の字状開口６２１を通過し、その内側の複数のマグネットが、大円盤２２８に対して磁気抵抗を発生させる効果を達成して、使用者が踏んだ時に抵抗が形成されて、運動効果を達成する。  
【００２３】
図５に示したように、磁気抵抗装置６の磁気抵抗の調整原理は、本体１上に設置されたノブ６１が回転して、ワイヤ６３を引き上げて、さらに、拉動磁気抵抗部品６２を引き上げて、大円盤２２８の位置に対応させ、もし、磁気抵抗部品６２の「コ」の字状開口６２１が大円盤２２８に深く進入すると、外周に発生する磁気抵抗は大きく、磁気抵抗部品６２の「コ」の字状開口６２１に深く進入しなければ、大円盤２２８の外周に発生する磁気抵抗は小さい。  
【００２４】
図７に示したように、本考案のペダルユニット３の２個のペダルステム３１は、固定裝置３２を介して、ペダルステム３１の長さを調整できることにより、使用者のステップトレーニングのプログラムを調整して、運動の自由度を高める。ペダルステム３１の長さが長いほど、ステップトレーニングの距離が長く、且つ、ステップの自由度も高い。逆に、ペダルステム３１の長さが短いほど、ステップトレーニングの距離も短く、ステップの自由度の低い。  
【００２５】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２６】
１        本体
１１      ハンドル
１２      収納室
１３      保護カバー
２        伝動装置
２１      主動軸
２１１      単方向回転輪
２２      双軸伝動ユニット
２２１      受動軸
２２２    主動輪
２２３      受動輪
２２４      主動輪
２２５      受動輪  
２２６      ベルト
２２７      ベルト
２２８      大円盤
２２９      当接輪
３        ペダルユニット
３１        ペダルステム
３２      固定装置
４        アイドル輪
５        牽引帯
６        磁気抵抗装置
６１      ノブ
６２        磁気抵抗部品
６２１      「コ」の字状開口
６３        ワイヤ
７        計数装置
７１        センサ
９          従来の構造
９１          「コ」の字型ベース
９２        主要支柱
９３        上部支柱
９４        斜め支柱
９５        左ペダル
９６        右ペダル
９７        従来の油圧シリンダー装置
９８        差し込み接続軸            
【図１】
0003183390.tif 000003
【図２】
0003183390.tif 000004
【図３】
0003183390.tif 000005
【図４】
0003183390.tif 000006
【図５】
0003183390.tif 000007
【図６】
0003183390.tif 000008
【図７】
0003183390.tif 000009
【図８】
0003183390.tif 000010
【図９】
0003183390.tif 000011